(57)【要約】【課題】この発明は、写真ファイルが回転情報を含むことのできるフォーマットであるときは、この写真ファイルに回転情報を格納させ、 かつ,前記写真ファイルの写真画像が再生されるときは、当該写真ファイルのフォーマットが識別されるようにフォーマット情報を表示器で表示できるようにする。【解決手段】  写真画像ファイルを記憶した第1の記憶手段と、前記第1の記憶手段の前記写真画像用ファイル内の写真画像を表示器に表示する表示制御手段と、前記写真画像用ファイルが、各写真の回転情報を含む所定フォーマットであるときは、該所定フォーマットであることを示すフォーマット情報を付加して前記表示器に表示させるフォーマット情報処理手段を有する。【選択図】    図１１
2006074692.tif 000002
【特許請求の範囲】
【請求項１】
写真画像ファイルを記憶した第1の記憶手段と、
前記第1の記憶手段の前記写真画像用ファイル内の写真画像を表示器に表示する表示制御手段と、
前記写真画像用ファイルが、各写真の回転情報を含む所定フォーマットであるときは、該所定フォーマットであることを示すフォーマット情報を付加して前記表示器に表示させるフォーマット情報処理手段と、  
を具備したことを特徴とする放送受信装置。
【請求項２】
さらに前記表示器に表示され写真画像をリモートコントローラからの操作信号に応じて選択し、表示状態を回転させる写真編集手段を有することを特徴とする請求項１記載の放送受信装置。
【請求項３】
前記写真編集手段は、前記所定のフォーマットの写真画像と異なるフォーマットの写真画像も回転させることを特徴とする請求項３記載の放送受信装置。
【請求項４】
前記写真画像ファイルを記憶した第1の記憶手段は、外部端子に接続されるメモリカードであることを特徴とする請求項１記載の放送受信装置。
【請求項５】
前記写真画像ファイルを記憶した第1の記憶手段は、ハードディスクであることを特徴とする請求項１記載の放送受信装置。
【発明の詳細な説明】
【技術分野】
【０００１】
この発明は、例えばデジタルテレビジョン放送等を受信する放送受信装置の改良に関し、特に写真画像ファイルを取り込み表示器に表示する機能を有した装置である。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、１台のデジタル放送受信装置に対して、複数のデジタル記録機器を接続してネットワーク化することにより、デジタル放送受信装置が、任意のデジタル記録機器を指定して番組の記録を行なわせたり、任意のデジタル記録機器を指定して番組の再生を行なわせたりすることができる。特許文献１には、インターネット受信機能を備えたテレビジョン受像機が開示されている。
【特許文献１】特開平１０−１３６２７５号公報
【発明の開示】
【発明が解決しようとする課題】
【０００５】
ところで、このように、複数のデジタル記録機器をネットワーク接続可能としたデジタル放送受信装置においては、各デジタル記録機器に記録されている番組をユーザが容易に管理することができ、所望の記録番組を迅速に検索して再生できるようにすることが重要となる。
【０００６】
またデジタル記録媒体として大容量の半導体メモリを含むメモリカードを接続してデジタル写真画像を再生する機能が設けられるようになった。メモリカードは、通常はデジタルカメラとともに用いられることが多く、撮像した複数の写真画像は、すべてが上下同じ方向で撮像されているとは限らない。カメラの向きにより、斜めあるいは９０度あるいは１８０度回転して撮像されている。したがって、このような写真画像を見やすい状態に編集するために、写真画像の編集機能が開発されている。この編集機能を用いると、９０度、あるいは１８０度回転して撮像されている写真画像を、再生装置において、回転させて正常な向きにして鑑賞することが可能である。
【０００７】
ところが、従来の編集機能であると、写真画像を回転させて鑑賞したのち、再生装置の電源をオフした場合、あるいはメモリカードを装置から取り出した場合、再度再生装置で写真画像を再生すると編集した状態ではなく、編集前の回転状態に戻っている場合がある。また、写真ファイルによっては、そのフォーマットが、回転情報を記憶している仕組みになっており、編集した最後の回転状態で再度表示されるものもある。このために、ユーザの混乱を生じることがある。
【０００８】
そこでこの発明に係る放送受信装置は、（i）上記のようなメモリカードから取り込んだ写真画像を回転させて表示することができる編集機能を有し、(ii)かつ、写真画像を回転制御したとき、写真ファイルが回転情報を含むことのできるフォーマットであるときは、この写真ファイルに回転情報を格納させ、(iii) かつ,前記写真ファイルの写真画像が再生されるときは、当該写真ファイルのフォーマットが識別されるようにフォーマット情報を表示器で表示できるようにした放送受信装置を提供することを目的とする。
【課題を解決するための手段】
【０００９】
この発明は、写真画像ファイルを記憶する第1の記憶手段と、前記第1の記憶手段に格納されている写真画像用ファイル内の写真画像を表示器に表示する表示制御手段と、前記写真画像用ファイルが、各写真の回転情報を含む所定フォーマットのファイルであるときは、該所定フォーマットであることを示すフォーマット情報を付加して前記表示器に表示させるフォーマット情報処理手段と、を備える。
【発明の効果】
【００１０】
上記した発明によれば、フォーマット情報が表示器に表示される。したがって、所定フォーマットの写真画像に対して、ユーザが回転操作するとき、ユーザは、今後その回転情報が保存されることを認識して操作することができる。逆に、フォーマット情報が表示器に表示されていない場合、ユーザは、今後その回転情報が保存されないことを認識して操作することができる。つまり、所定フォーマットと異なるフォーマットの写真画像は、再度再生したとき回転状態が元に戻っていることを認識することができる。
【発明を実施するための最良の形態】
【００１１】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１２】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１３】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１４】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１５】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１６】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１７】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１８】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１９】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００２０】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２１】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２２】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２３】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２４】
そして、このチューナ４５で選局された放送信号は、ＰＳＫ（Phase Shift Keying）復調器４６に供給されて、デジタルの映像信号及び音声信号に復調された後、信号処理部４７に出力される。
【００２５】
また地上波アナログ信号を受信するアナログチューナ６８も設けられている。アナログチューナ６８で受信された信号は、アナログ復調器６９で復調され信号処理部４７に出力される。
【００２６】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００２９】
このうち、グラフィック処理部５２は、信号処理部４７から供給されるデジタルの映像信号に、ＯＳＤ（On Screen Display）信号生成部５４出生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３０】
そして、グラフィック処理部５２から出力されたデジタルの映像信号は、映像処理部５５に供給される。この映像処理部５５は、入力されたデジタルの映像信号を、前記映像表示器１４で表示可能なフォーマットのアナログ映像信号に変換し、映像表示器１４に出力して映像表示させる。
【００３１】
また、上記音声処理部５３は、入力されたデジタルの音声信号を、前記スピーカ１５で再生可能なフォーマットのアナログ音声信号に変換し、スピーカ１５に出力して音声再生させる。
【００３２】
ここで、このデジタルテレビジョン放送受信装置１１は、上記した各種の受信動作を含むその全ての動作を制御部５６によって統括的に制御されている。この制御部５６は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３３】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３４】
また、この制御部５６は、カードＩ／Ｆ（Interface）６０を介して、前記第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３５】
さらに、上記制御部５６は、カードＩ／Ｆ６２を介して、前記第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３６】
また、上記制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３７】
さらに、上記制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００３８】
また、上記制御部５６は、ＵＳＢ Ｉ／Ｆ６６を介して前記ＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００３９】
さらに、上記制御部５６は、ｉ．Link Ｉ／Ｆ６７を介してｉ．Link端子２４に接続されている。これにより、制御部５６は、ｉ．Link端子２４に接続された各機器（図１参照）と、ｉ．Link Ｉ／Ｆ６７を介して情報伝送を行なうことができる。
【００４０】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００４１】
図４は、このデジタルテレビジョン放送受信装置１１が、その端子２１〜２４に接続された各機器のうちのデジタル記録機器に番組を記録する動作を説明するフローチャートを示している。すなわち、番組の記録が要求されることにより処理が開始（ステップＳ１）されると、制御部５６は、ステップＳ２で、放送信号から取得したＥＰＧ（Electronic Program Guide）情報に基づいて、図５に示すような番組表を映像表示器１４に表示させる。
【００４２】
すると、ユーザは、ステップＳ３で、表示された番組表に基づいて所望の番組の記録予約設定を実行する。この記録予約設定では、記録すべき番組を番組表から選択するとともに、その番組を記録させるデジタル記録機器を選択設定することも行なわれる。
【００４３】
そして、制御部５６は、ステップＳ４で、記録予約した設定時間に達した場合、予約設定された番組を予約設定されたデジタル記録機器に記録するように、記録動作を実行する。
【００４４】
その後、制御部５６は、ステップＳ５で、番組記録動作が正常に完了したか否かを判別し、正常に完了したと判断された場合（ＹＥＳ）、ステップＳ６で、記録を行なったデジタル記録機器を特定するための機器情報（機器ＩＤ、機器名、共有フォルダ名等）と、その記録番組に関するイベント情報（イベントＩＤ、チャンネル番号、タイトル、内容説明、ジャンル、記録範囲、画質モード等）とを前記不揮発性メモリ５９に記録し、処理を終了（ステップＳ７）する。
【００４５】
また、上記ステップＳ５で番組記録動作が正常に完了しなかったと判断された場合（ＮＯ）、制御部５６は、ステップＳ８で、番組記録動作が正常に完了しなかった旨のメッセージを映像表示器１４に表示させて、処理を終了（ステップＳ７）する。
【００４６】
以上の記録動作により、ユーザは、デジタルテレビジョン放送受信装置１１の各端子２１〜２４に接続されている複数のデジタル記録機器を任意に選択して、番組を記録させていくことが可能になる。
【００４７】
図６は、上記のようにして、複数のデジタル記録機器に記録された種々の番組の中から、所望の番組を迅速に検索して再生する動作を説明するためのフローチャートを示している。すなわち、処理が開始（ステップＳ９）されると、ユーザは、ステップＳ１０で、リモートコントローラ１７のfaceネットキー１７ｊを操作する。
【００４８】
すると、制御部５６は、ステップＳ１１で、faceネット（ナビゲーション）を起動させ、図７に示すようなナビゲーションメニューを映像表示器１４に表示させる。このナビゲーションメニューでは、「テレビ」、「録画番組」、「写真」、「インターネット」、「Ｅメール」の５つの項目が選択可能に設けられる。選択された項目は、画面上では他の項目と色を変えて表示されるが、図７では、「テレビ」が選択された状態をハッチングにより示している。
【００４９】
ここで、ユーザは、ステップＳ１２で、リモートコントローラ１７のカーソルキー１７ｆを操作して「録画番組」の項目を選択する。すると、制御部５６は、図８にハッチングで示すように、「録画番組」の項目を選択した状態となる。
【００５０】
この状態で、ユーザが、ステップＳ１３で、リモートコントローラ１７の決定キー１７ｇを操作すると、制御部５６は、図９に示すように、最近録画した番組の一覧を映像表示器１４に表示させる。この番組一覧では、記録されている番組を示す情報として、タイトル、放送チャンネル、記録日時、曜日、時間、ジャンル等が表示されている。
【００５１】
この最近録画した番組の一覧は、図４で説明した番組の予約記録時に不揮発性メモリ５９に記録された、記録を行なったデジタル記録機器を特定する機器情報と記録番組に関するイベント情報とを参照することで作成される。この最近録画した番組の一覧では、記録したデジタル記録機器を問わず、最新の記録番組から溯って最大で３５個の番組を示す情報を一覧表示することが可能である。図９では、７つの番組が一覧表示されているが、カーソルキー１７ｆを操作することにより表示をスクロールさせて３５個の番組一覧を見ることが可能である。また、リモートコントローラ１７のページ切換キー１７ｉを操作すれば、一覧表示されている７つの番組を一気にスキップさせることが可能である。
【００５２】
そして、ユーザが、ステップＳ１４で、最近録画した番組の一覧から、リモートコントローラ１７のカーソルキー１７ｆを操作して所望の番組を示す情報を選択し、決定キー１７ｇを操作して決定すると、制御部５６は、ステップＳ１５で、不揮発性メモリ５９に記録された情報から、その選択決定された番組が記録されているデジタル記録機器を特定し、その番組が再生可能であるか否かを判別する。
【００５３】
この判別は、例えば、デジタルテレビジョン放送受信装置１１と再生要求された番組を記録しているデジタル記録機器とが接続されているか否か、再生要求された番組を記録しているデジタル記録機器の電源が投入されているか否か、対象となるデジタル記録機器にその番組がまだ記録されているか否か等々、記録時と再生時とにおける諸条件を総合的に比較して再生可能か否かを判別する。
【００５４】
そして、上記ステップＳ１５で再生可能であると判断された場合（ＹＥＳ）、制御部５６は、ステップＳ１６で、対象となるデジタル記録機器から再生要求された番組の情報を読み出し、再生するように制御して、処理を終了（ステップＳ１７）する。
【００５５】
また、上記ステップＳ１５で再生可能でないと判断された場合（ＮＯ）、制御部５６は、ステップＳ１８で、要求された番組の再生が不可能である旨のメッセージを映像表示器１４に表示させて、処理を終了（ステップＳ１７）する。
【００５６】
上記した再生動作によれば、記録したデジタル記録機器を問わず、最新の記録番組から溯って最大で３５個の記録された番組を一覧表示するナビゲーション機能を持つようにしたので、複数のデジタル記録機器に記録されている番組をユーザが容易に管理することが可能となる。このため、一覧表示された番組から所望の番組をカーソルキー１７ｆで選択し決定キー１７ｇで決定することにより、迅速に検索して再生することが可能となる。
【００５７】
なお、複数のデジタル記録機器に記録した番組を全て一覧表示することは、接続されるデジタル記録機器の増加や、記録した番組数の増加を考慮すると、実用的でなくなる。この実施の形態のように、最新の記録番組から溯って最大で３５個程度までの番組を一覧表示することが、ユーザにとって実質的な支障の生じ難い実用に適した設定となる。
【００５８】
ここで、上記したデジタルテレビジョン放送受信装置１１は、写真再生機能を有している。すなわち、リモートコントローラ１７のfaceネットキー１７ｊを操作して表示させた図７に示すナビゲーションメニューから、「写真」の項目を選択し決定することにより、例えば前記カードホルダ６１に装着された第１のメモリカード１９であるＳＤメモリカードに記録されている複数の写真を、一覧表示させることができる。この場合、表示対象となる写真が記録されているデジタル記録媒体やデジタル記録機器（デジタルカメラ）をユーザが指定する必要がある。その結果、図１０に示すような写真一覧が表示される。
【００５９】
この実施の形態は、写真画像処理部を含む。この写真画像処理部は、図２の制御部５６に含まれていても良いし、また制御部５６とは独立したブロックで設けてもよい。写真画像ファイルはＳＤメモリカードである記憶手段に格納されている。写真画像処理部は、写真画像用ファイル内の写真画像を表示器に表示する表示制御手段と、写真画像用ファイルが、各写真の回転情報を含む所定フォーマットであるときは、該所定フォーマットであることを示すフォーマット情報を付加して表示器に表示させるフォーマット情報処理手段とを含む。さらに表示器に表示され写真画像をリモートコントローラからの操作信号に応じて選択し、表示状態を回転させる写真編集手段も含む。写真編集手段は、所定のフォーマットの写真画像と異なるフォーマットの写真画像も回転させることができる。
【００６０】
ここで、本実施の形態では、上記のように特定のファイルであるときは、ファイル名が表示され、かつこのファイルのフォーマットを識別したフォーマット情報が表示される。つまり、写真画像用ファイルが、各写真の回転情報を含む所定フォーマットのファイルであるときは、該所定フォーマットであることを示すフォーマット情報が付加されて表示器に表示される。この例では、所定フォーマットであることを示すフォーマット情報として、「Eｘif」（矢印１１１参照）が表示されている。
【００６１】
ユーザは、リモートコントローラのカーソルキーを操作して、所望の写真画像にカーソルを合わせることができる。ここで、リモートコントローラの青のカラーキーを操作すると９０度単位で回転を得ることができる。赤のカラーキーを操作すると削除を得ることができる。また黄のカラーキーを操作するとスライドショーを鑑賞することができる。この操作案内も領域１１０で画面上に表示されている。
【００６２】
したがって、フォーマット情報「Exif」（またはアイコン「Exif」）が表示されているときは、写真画像に対して、ユーザが回転操作するとき、ユーザは、今後その回転情報が保存されることを認識して操作することができる。逆に、フォーマット情報が表示器に表示されていない場合、ユーザは、今後その回転情報が保存されないことを認識して操作することができる。つまり、所定フォーマットと異なるフォーマットの写真画像は、再度再生したとき回転状態が元に戻っていることを認識することができる。
【００６３】
つまりこの放送受信装置では、Exif形式のファイルだけでなくJPEG規格の画像データであれば再生可能である。したがって、画像回転情報を保存することができるフォーマットと異なるフォーマットのファイルであると、画像回転して鑑賞した後、電源オフしたり、メモリカードを一旦装置から離脱したりして、その後、メモリカードを接続して、写真画像を再度表示しても、先に鑑賞したときの回転状態で表示されない。
【００６４】
一方、Exif形式のファイルは、写真のデータ内に画像方向を示すフラグが格納される仕組みになっている。このために、Exif形式のファイルを有するメモリカードの場合、装置から離脱したあと、再度装着して、写真画像を再生したとき、以前編集したときの回転方向が維持されて表示される。
【００６５】
この結果、表示器に写真画像を表示したとき、フォーマット情報が表示器に表示される。したがって、所定フォーマットの写真画像に対して、ユーザが回転操作するとき、ユーザは、今後その回転情報が保存されることを認識して操作することができる。逆に、フォーマット情報が表示器に表示されていない場合、ユーザは、今後その回転情報が保存されないことを認識して操作することができる。つまり、所定フォーマットと異なるフォーマットの写真画像は、再度再生したとき回転状態が元に戻っていることを意識することができ、自己の操作時の表示状態とその後の再表示時に状態との食い違いに混乱を生じることがない。
【００６６】
図１１は、図１０に示したような画像一覧表示が行われる際の制御部における動作を説明するために示している。画像一覧表示が開示されると、その写真画像ファイルが回転情報を保存することができるファイルかどうかの判定が行われる（ステップ22S1）。回転情報を保存できるファイルである場合には、アイコン「Exif」を表示する（ステップ22S2）。
【００６７】
そして、写真画像表示に際しては、記憶している回転情報に従って、画像の表示方向を決定し、画像表示を行う（ステップ22S3、22S4 ）。そして一覧にする枚数分の表示が終了したかどうかの判断を行う（図１の例であると11枚を表示したかどうかの判定である）（ステップ22S５）。まだ表示すべき写真画像があるときはステップ22S1に戻る。ステップ22S1において、写真画像を表示使用とするファイルが回転状態を示す回転情報を保存することができないファイルである場合には、ステップ22S3に移行し、記憶されている回転情報に従って画像の表示方向を決定する。回転情報が存在しない場合は、撮像されている写真画像の姿勢で表示器に表示される。
【００６８】
図１２は、図１０に示すような状態で、ユーザがカーソルを操作し、写真画像の回転操作を行った場合の動作を示している。リモートコントローラ１７の青のカラーキー７１ｆを操作すると回転処理が開始される。すると現在処理されている画像写真ファイルが回転情報を保存することができるファイルであるかどうかの判定が行われる（ステップ23S1）。回転情報を保存できるファイルであれば、操作に応じた回転情報を保存し（ステップ23S２）、画面上で画像を回転して表示し（ステップ23S3）、回転処理を終了する。ステップ23S1で、回転情報を保存することができないファイルを取り扱っていることが分かった場合は、回転情報の保存処理を行うことなく、画面上で画像を回転して表示する（ステップ23S3）。
【００６９】
図１３は、写真画像を圧縮して格納する圧縮ファイルの一例を示し、このファイルで特にExif形式のファイルである1番目のAPP1の構造を示している。このファイルでは、APP1であることを示すAPP1Marker,  APP1のデータ長を示すAPP1Lengthが記述されている。そしてこの情報の次にExif形式であることを示すExif  Identifire  Codeが記述されている。その後には、画像圧縮データなどが記述sあれている。  
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７０】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置がデジタル記録機器に番組を記録する動作を説明するために示すフローチャート。
【図５】同実施の形態におけるデジタルテレビジョン放送受信装置の記録動作時に表示される番組表の一例を説明するために示す図。
【図６】同実施の形態におけるデジタルテレビジョン放送受信装置がデジタル記録機器から番組を再生する動作を説明するために示すフローチャート。
【図７】同実施の形態におけるデジタルテレビジョン放送受信装置の再生動作時に表示されるナビゲーションメニューの一例を説明するために示す図。
【図８】同実施の形態におけるナビゲーションメニューから録画番組の項目を選択した状態を説明するために示す図。
【図９】同実施の形態におけるナビゲーションメニューから得られる最近録画した番組の一覧表示画面の一例を説明するために示す図。
【図１０】同実施の形態におけるデジタルテレビジョン放送受信装置の写真再生機能を説明するために示す図。
【図１１】同実施の形態におけるデジタルテレビジョン放送受信装置の写真画像処理部の動作の一例を説明するために示す図。
【図１２】同実施の形態におけるデジタルテレビジョン放送受信装置の写真画像処理部の動作の他の例を説明するために示す図。
【図１３】写真画像を圧縮して格納する圧縮ファイルの一例を示す図。
【符号の説明】
【００７１】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ。
【図１】
2006074692.tif 000003
【図２】
2006074692.tif 000004
【図３】
2006074692.tif 000005
【図４】
2006074692.tif 000006
【図５】
2006074692.tif 000007
【図６】
2006074692.tif 000008
【図７】
2006074692.tif 000009
【図８】
2006074692.tif 000010
【図９】
2006074692.tif 000011
【図１０】
2006074692.tif 000012
【図１１】
2006074692.tif 000013
【図１２】
2006074692.tif 000014
【図１３】
2006074692.tif 000015